(57)【要約】本発明は進化したノードB（eNB）の配置更新起動の失敗を減少させる方法とeNBを開示し、前記方法はeNBが配置を更新した後、本エンドのPLMN公衆陸上移動通信網情報と本エンドで保存したMME移動性管理エンティティのPLMN情報を比較するステップ（101）、本エンドのPLMN情報と本エンドで保存したMMEのPLMN情報は完全に一致する時、前記eNBは配置更新要求を前記MMEに送信するステップ（102）、或は、本エンドのPLMN情報と本エンドで保存したMMEのPLMN情報は部分的に一致する時、前記eNBは配置更新要求を前記MMEに送信し、且つ警報するステップ（103）、或は、本エンドのPLMN情報と本エンドで保存したMMEのPLMN情報は完全に一致しない時、前記eNBが警報するステップ（104）を含む。本発明が提供したeNBの配置更新起動の失敗を減少させる方法とeNBはeNBの配置更新起動の失敗率を減少させる。【選択図】          図２
2013520114.tif 000002
【特許請求の範囲】
【請求項１】
eNBの配置更新起動の失敗を減少させる方法であって、
進化したノードB（eNB）が配置を更新した後、本エンドの公衆陸上移動通信網PLMN情報と本エンドで保存した移動性管理エンティティMMEのPLMN情報を比較するステップ、
本エンドのPLMN情報と本エンドで保存したMMEのPLMN情報とが完全に一致する時、前記eNBは配置更新要求を前記MMEに送信するステップ、或は、
本エンドのPLMN情報と本エンドで保存したMMEのPLMN情報とが部分的に一致する時、前記eNBは配置更新要求を前記MMEに送信し、且つ警報するステップ、或は、
本エンドのPLMN情報と本エンドで保存したMMEのPLMN情報とが完全に一致しない時、前記eNBが警報するステップを含むことを特徴とするeNBの配置更新起動の失敗を減少させる方法。 
【請求項２】
前記PLMN情報がPLMN Identify情報であることを特徴とする請求項1に記載のeNBの配置更新起動の失敗を減少させる方法。
【請求項３】
前記eNBが警報することは具体的に
前記eNBがアラーム情報を表示し、前記アラーム情報は前記eNBのPLMN情報と前記MMEのPLMN情報の中に一致しないパラメーターを提示することであることを特徴とする請求項1或は2に記載のeNBの配置更新起動の失敗を減少させる方法。
【請求項４】
前記配置更新要求は具体的に
前記eNBが更新された後の配置を前記MMEに通知する要求であることを特徴とする請求項1或は2に記載のeNBの配置更新起動の失敗を減少させる方法。
【請求項５】
前記eNBは配置更新要求をMMEに送信した後、更に、
前記MMEが応答メッセージを前記eNBに送信し、前記eNBに配置更新が成功するか否かを通知するステップを含むことを特徴とする請求項1或は2に記載のeNBの配置更新起動の失敗を減少させる方法。
【請求項６】
進化したノードB（eNB）であって、前記eNBは本エンドが配置を更新した後、本エンドの公衆陸上移動通信網PLMN情報と本エンドで保存した移動性管理エンティティMMEのPLMN情報を比較することに用いられ、及び、
本エンドのPLMN情報と本エンドで保存したMMEのPLMN情報が完全に一致する時、配置更新要求を前記MMEに送信することに用いられ、或は、
本エンドのPLMN情報と本エンドで保存したMMEのPLMN情報が部分的に一致する時、配置更新要求を前記MMEに送信し、且つ警報することに用いられ、或は、
本エンドのPLMN情報と本エンドで保存したMMEのPLMN情報が完全に一致しない時、警報することに用いられることを特徴とする進化したノードB（eNB）。
【請求項７】
前記PLMN情報がPLMN Identify情報であることを特徴とする請求項6に記載のeNB。
【請求項８】
前記eNBが具体的にアラーム情報を表示し、前記アラーム情報が前記eNBのPLMN情報と前記MMEのPLMN情報の中に一致しないパラメーターを提示することを特徴とする請求項6或は7に記載のeNB。
【請求項９】
前記配置更新要求は具体的に前記eNBが更新後の配置を前記MMEに通知する要求であることを特徴とする請求項6或は7に記載のeNB。
【請求項１０】
前記eNBは更にMMEの応答メッセージを受信することに用いられ、前記応答メッセージは配置更新が成功するか否かを提示することを特徴とする請求項6或は7に記載のeNB。
【発明の詳細な説明】
【技術分野】
【０００１】
本発明は移動通信分野に関し、特に、eNBの配置更新起動の失敗を減少させる方法とeNBに関する。
【背景技術】
【０００２】
図1を参考しながら、LTE(Long Term Evolution、ロングタームエボリューション)システムにおいて、eNB(evolved Node B、進化したノードB)10とMME(Mobility Management Entity、移動性管理エンティティ) 20はS1(LTEシステムにおける一つのインターフェースであり、MME20とeNB10を接続する)接続を確立した後、eNB10とMME20はそれぞれ対象エンドの関連情報を保存し、後に使用する。eNB10の配置が変化を発生する時、eNB10はENB Configuration Updateメッセージを介し、最新のeNB10配置をMME20に通知することで、MME20が早急に保存したeNB10の配置を更新するようにする。MME20は該eNB10の配置更新情報を受ければ、eNB10にENB CONFIGURATION UPDATE ACKNOWLEDGE応答メッセージを送信し、eNB10に配置更新が成功するように通知し、後にMME20はeNB10の最新配置を採用し、そうではないと、eNB10にENB CONFIGURATION UPDATE FAILURE応答メッセージを送信し、eNB10に配置更新が失敗するように通知し、MME20は依然としてENB10の古い配置を採用する。
【０００３】
しかし、実際の応用過程において、eNB10が起動した配置更新過程が失敗することはよくパラメーター配置の不当によって引き起こされ、eNB10が配置更新要求を起動する前に、MME20が本エンドの配置パラメーターをサポートするか否かを判断せずに、直接に本回の配置の更新要求を送信し、配置更新の失敗率を増加した。
【発明の概要】
【発明が解決しようとする課題】
【０００４】
本発明の主な目的はeNBの配置更新起動の失敗を減少させる方法とeNBを提供し、eNBの配置更新起動の失敗率を減少させることにある。
【課題を解決するための手段】
【０００５】
本発明はeNBの配置更新起動の失敗を減少させる方法を提供し、
eNB（進化したノードB）が配置を更新した後、本エンドのPLMN（公衆陸上移動通信網）情報と本エンドで保存したMME（移動性管理エンティティ）のPLMN情報を比較するステップ、
本エンドのPLMN情報と本エンドで保存したMMEのPLMN情報は完全に一致する時、前記eNBは配置更新要求を前記MMEに送信するステップ、或は、
本エンドのPLMN情報と本エンドで保存したMMEのPLMN情報は部分的に一致する時、前記eNBは配置更新要求を前記MMEに送信し、且つ警報するステップ、或は、
本エンドのPLMN情報と本エンドで保存したMMEのPLMN情報は完全に一致しない時、前記eNBが警報するステップを含む。
【０００６】
前記PLMN情報がPLMN Identify情報であることは好ましい。
【０００７】
前記eNBが警報することは具体的に前記eNBがアラーム情報を表示し、前記アラーム情報は前記eNBのPLMN情報と前記MMEのPLMN情報の中に一致しないパラメーターを提示することは好ましい。
【０００８】
前記配置更新要求は具体的に前記eNBが更新した後の配置を前記MMEに通知する要求であることは好ましい。
【０００９】
前記eNBは配置更新要求をMMEに送信した後、更に、
前記MMEが応答メッセージを前記eNBに送信し、前記eNBに配置更新が成功するか否かを通知するステップを含む。
【００１０】
本発明は更にeNBを提供し、前記eNB（進化したノードB）は本エンドが配置を更新した後、本エンドのPLMN（公衆陸上移動通信網）情報と本エンドで保存したMME（移動性管理エンティティ）のPLMN情報を比較することに用いられ、及び、
本エンドのPLMN情報と本エンドで保存したMMEのPLMN情報が完全に一致する時、配置更新要求を前記MMEに送信し、或は、
本エンドのPLMN情報と本エンドで保存したMMEのPLMN情報が部分的に一致する時、配置更新要求を前記MMEに送信し、且つ警報し、或は、
本エンドのPLMN情報と本エンドで保存したMMEのPLMN情報が完全に一致しない時、警報することに用いられる。
【００１１】
前記PLMN情報がPLMN Identify情報であることは好ましい。
【００１２】
前記eNBが具体的にアラーム情報を表示することに用いられ、前記アラーム情報が前記eNBのPLMN情報と前記MMEのPLMN情報の中に一致しないパラメーターを提示することは好ましい。
【００１３】
前記配置更新要求が具体的に前記eNBが更新後の配置を前記MMEに通知する要求であることは好ましい。
【００１４】
前記eNBは更に配置更新要求をMMEに送信し後、MMEの応答メッセージを受信することに用いられ、前記応答メッセージが配置更新が成功するか否かを提示することは好ましい。
【発明の効果】
【００１５】
本発明が提出したeNBが配置更新を起動する失敗を減少させる方法とeNBは、eNBがMMEに配置の更新要求を起動する前に、自分で保存したMME関連情報に基づき、MMEがeNBの配置パラメーターをサポートしないと判断するので、本回の配置の更新要求を送信しなくてもよく、その同時に、ユーザーにアラーム提示を与え、配置更新の成功率を向上させる。
【図面の簡単な説明】
【００１６】
【図１】図1は既存LTEシステムの構造模式図である。
【図２】図2は本発明のeNBの配置更新起動の失敗を減少させる方法の一つの実施例の流れ模式図である。
【図３】図3は本発明のeNBの配置更新起動の失敗を減少させる方法のもう一つの実施例の流れ模式図である。
【発明を実施するための形態】
【００１７】
本発明が提出したeNBの配置更新起動の失敗を減少させる方法とeNBは、eNBがMMEに配置の更新要求を起動する前に、自分で保存したMME関連情報に基づき、MMEがeNBの配置パラメーターをサポートしないと判断するので、本回の配置の更新要求を送信しなくてもよく、その同時に、ユーザーにアラーム提示を与え、配置更新の成功率を向上させる。
【００１８】
図2を参考しながら、本発明によるeNBの配置更新起動の失敗を減少させる方法の一つの実施例を提供し、
ステップ101において、eNBが配置を更新した後、本エンドのPLMN（公衆陸上移動通信網）情報と本エンドで保存したMMEのPLMN情報を比較し、
ステップ102において、本エンドのPLMN情報と本エンドで保存したMMEのPLMN情報が完全に一致する時、eNBは配置更新要求をMMEに送信し、或は、
ステップ103において、本エンドのPLMN情報と本エンドで保存したMMEのPLMN情報は部分的に一致する時、eNBは配置更新要求をMMEに送信し、且つ警報し、或は、
ステップ104において、本エンドのPLMN情報と本エンドで保存したMMEのPLMN情報は完全に一致しない時、eNBが警報することを含む。
【００１９】
その中に、上記PLMN情報がPLMN Identify情報である。
【００２０】
その中に、上記eNBが警報することは具体的にeNBがアラーム情報を表示し、該アラーム情報はeNBのPLMN情報とMMEのPLMN情報に一致しないパラメーターを提供する。
【００２１】
その中に、上記配置更新要求は具体的にeNBが更新した後の配置をMMEに通知する要求である。
【００２２】
図3を参考しながら、本発明はeNBの配置更新起動の失敗を減少させる方法のもう一つの実施例を提供し、上記実施例においてeNBが配置更新要求をMMEに送信した後、更に、
ステップ105において、MMEが応答メッセージをeNBに送信し、eNBに配置更新が成功するか否かを通知することを含む。 
【００２３】
図面を結びつけ、詳しく上記実施例の作動流れを説明する。
【００２４】
仮にeNBがサポートした追跡領域のPLMN Identity情報を64f010とし、該eNBに繋がるMMEがサポートしたPLMN Identity情報を64f010、64f020とする。
【００２５】
状況1：eNBがサポートした追跡領域におけるPLMN Identity情報とMMEがサポートしたPLMN Identity情報と一致し、
作業員はeNB配置を更新した後、本eNB追跡領域にサポートしたPLMN Identity情報が64f010、64f020に変わり、
eNBは配置を更新した後、自分の追跡領域にサポートした各々PLMN Identityが自分と繋がるMMEのサポートしたPLMN Identity情報(64f010、64f020)リストに存在するか否かを検査し、該リストをeNBに保存し、
ここでの判断結果は本eNBが配置を更新した後、サポートした追跡領域におけるPLMN Identity情報をMMEが全部サポートすることであり、
eNBは本eNBが更新した後の配置情報をENB Configuration Update要求情報にコーディングしてMMEに送信し、
MMEは応答メッセージをeNBに送信し、eNBに配置更新が成功するか否かを通知する。
【００２６】
状況2：eNBがサポートした追跡領域におけるPLMN Identity情報とMMEがサポートしたPLMN Identity情報と完全に一致しない。
【００２７】
作業員はeNB配置を更新した後、本eNB 追跡領域にサポートしたPLMN Identity情報が64f030、64f040に変わり、
eNBは配置を更新した後、自分の追跡領域にサポートした各々PLMN Identityが自分と繋がるMMEのサポートしたPLMN Identity情報(64f010、64f020)リストに存在するか否かを検査し、該リストをeNBに保存し、
ここでの判断結果は本eNBが配置を更新した後、サポートした追跡領域におけるPLMN Identity情報をMMEが全部サポートしないことであり、
eNBはアラーム情報を出し、MMEがサポートしないPLMN Identity情報(64f030、64f040)を作業員にアラーム提示を与え、その同時に、MMEにENB Configuration Update要求を送信しない。
【００２８】
状況3： eNBがサポートした追跡領域におけるPLMN Identity情報とMMEがサポートしたPLMN Identity情報は部分的に一致する。
【００２９】
作業員は配置を更新した後、本eNB 追跡領域にサポートしたPLMN Identity情報が64f010、64f040に変わり、
eNBは配置を更新した後、自分の追跡領域にサポートした各々PLMN Identityが自分と繋がるMMEのサポートしたPLMN Identity情報(64f010、64f020)リストに存在するか否かを検査し、該リストをeNBに保存し、
ここでの判断結果はeNBが配置を更新した後、サポートした追跡領域におけるPLMN Identity情報をMMEが部分的にサポートすることであり、
MMEがサポートしないPLMN Identity情報(64f040)を作業員にアラーム提示を与え、eNBは本eNBが更新した後の配置情報をENB Configuration Update要求情報にコーディングしてMMEに送信する。
【００３０】
MMEは応答メッセージをeNBに送信し、eNBに配置更新が成功するか否かを通知する。
【００３１】
本発明が提供したeNBの配置更新起動の失敗を減少させる方法はeNBの配置更新起動の失敗率を減少させる。
【００３２】
本発明はもう一種のeNBを提供し、該eNBは本eNBが配置を更新した後、本エンドのPLMN情報と本エンドで保存したMMEのPLMN情報を比較し、
本エンドのPLMN情報と本エンドで保存したMMEのPLMN情報が完全に一致する時、配置更新要求をMMEに送信し、或は、
本エンドのPLMN情報と本エンドで保存したMMEのPLMN情報は部分的に一致する時、配置更新要求をMMEに送信し、且つ警報し、或は、
本エンドのPLMN情報と本エンドで保存したMMEのPLMN情報は完全に一致しない時、警報することに用いられ、
その中に、上記PLMN情報はPLMN Identify情報である。
【００３３】
その中に、上記eNBは具体的にアラーム情報を表示することに用いられ、該アラーム情報はeNBのPLMN情報とMMEのPLMN情報に一致しないパラメーターを提示する。
【００３４】
その中に、上記配置更新要求は具体的にeNBが更新した後の配置をMMEに通知する要求である。
【００３５】
本発明は更にeNBのもう一つの実施例を提出し、上記実施例に基づいたeNBは更にMMEの応答メッセージを受信し、該応答メッセージは配置更新が成功するか否かを提示する。
【００３６】
以下、本発明のeNB作動原理を詳しく説明する。
【００３７】
仮にeNBがサポートした追跡領域のPLMN Identity情報を64f010とし、該eNBに繋がるMMEがサポートしたPLMN Identity情報を64f010、64f020とする。
【００３８】
状況1：eNBがサポートした追跡領域におけるPLMN Identity情報とMMEがサポートしたPLMN Identity情報と一致する。
【００３９】
作業員はeNB配置を更新した後、本eNB追跡領域にサポートしたPLMN Identity情報が64f010、64f020に変わり、
eNBは配置を更新した後、自分の追跡領域にサポートした各々PLMN Identityが自分と繋がるMMEのサポートしたPLMN Identity情報(64f010、64f020)リストに存在するか否かを検査し、該リストをeNBに保存し、
ここでの判断結果は本eNBが配置を更新した後、サポートした追跡領域におけるPLMN Identity情報をMMEが全部サポートすることであり、
eNBは本eNBが更新した後の配置情報をENB Configuration Update要求情報にコーディングしてMMEに送信する。
【００４０】
eNBはMMEの応答メッセージを受信し、該応答メッセージが配置更新が成功するか否かを提示する。
【００４１】
状況2：eNBがサポートした追跡領域におけるPLMN Identity情報とMMEがサポートしたPLMN Identity情報と完全に一致しない。
作業員はeNB配置を更新した後、本eNB 追跡領域にサポートしたPLMN Identity情報が64f030、64f040に変わり、
eNBは配置を更新した後、自分の追跡領域にサポートした各々PLMN Identityが自分と繋がるMMEのサポートしたPLMN Identity情報(64f010、64f020)リストに存在するか否かを検査し、該リストをeNBに保存し、
ここでの判断結果はeNBが配置を更新した後、サポートした追跡領域におけるPLMN Identity情報をMMEが全部サポートしないことであり、
eNBはアラーム情報を出し、MMEがサポートしないPLMN Identity情報(64f030、64f040)を作業員にアラーム提示を与え、その同時に、MMEにENB Configuration Update要求を送信しない。
【００４２】
状況3： eNBがサポートした追跡領域におけるPLMN Identity情報とMMEがサポートしたPLMN Identity情報は部分的に一致する。
【００４３】
作業員は配置を更新した後、本eNB 追跡領域にサポートしたPLMN Identity情報が64f010、64f040に変わり、
eNBは配置を更新した後、自分の追跡領域にサポートした各々PLMN Identityが自分と繋がるMMEのサポートしたPLMN Identity情報(64f010、64f020)リストに存在するか否かを検査し、該リストをeNBに保存し、
ここでの判断結果はeNBが配置を更新した後、サポートした追跡領域におけるPLMN Identity情報をMMEが部分的にサポートすることであり、
MMEがサポートしないPLMN Identity情報(64f040)を作業員にアラーム提示を与え、eNBは本eNBが更新した後の配置情報をENB Configuration Update要求情報にコーディングしてMMEに送信する。
【００４４】
eNBはMMEの応答メッセージを受信し、該応答メッセージが配置更新が成功するか否かを提示する。
【００４５】
本発明が提供しているeNBは配置更新起動の失敗率を減少させる。
【００４６】
以上の内容は単に本発明の好適な実施例だけで、本発明の特許範囲を限定するわけではなく、本発明の明細書及び図面の内容を利用し、作った同効構造或は同効流れ或は直接や間接に他の関連技術分野に応用することはすべて同じ理由で本発明の特許保護範囲内に含まれるものである。
【図１】
2013520114.tif 000003
【図２】
2013520114.tif 000004
【図３】
2013520114.tif 000005
【国際調査報告】
2013520114.tif 000006
2013520114.tif 000007
2013520114.tif 000008
2013520114.tif 000009